(57)【要約】【課題】優れた高速記録性及び速乾性をバランスよく同時に満たすインク組成物を提供する。【解決手段】本発明のインク組成物は、水と、樹脂と、色材と、２５℃における蒸気圧が０．０５０ｍｍＨｇ以上であり、かつ、２５℃における水１００ｇに対する溶解度が３ｇ未満であるアルコール（Ａ）と、２５℃における蒸気圧が０．０５０ｍｍＨｇ以上であり、かつ２５℃における水１００ｇに対する溶解度が３ｇ以上であるアルコキシアルコール、及び２５℃における蒸気圧が０．０５０ｍｍＨｇ以上であり、かつ２５℃における水１００ｇに対する溶解度が３ｇ以上であるアルカンジオールからなる群より選択される１種以上を含有する溶剤（Ｂ）と、を含む。【選択図】なし【特許請求の範囲】
【請求項１】
水と、樹脂と、色材と、
２５℃における蒸気圧が０．０５０ｍｍＨｇ以上であり、かつ、２５℃における水１００ｇに対する溶解度が３ｇ未満であるアルコール（Ａ）と、
２５℃における蒸気圧が０．０５０ｍｍＨｇ以上であり、かつ２５℃における水１００ｇに対する溶解度が３ｇ以上であるアルコキシアルコール、及び２５℃における蒸気圧が０．０５０ｍｍＨｇ以上であり、かつ２５℃における水１００ｇに対する溶解度が３ｇ以上であるアルカンジオールからなる群より選択される１種以上を含有する溶剤（Ｂ）と、を含む、インク組成物。
【請求項２】
前記アルコール（Ａ）が、炭素数が７以上である対称型のアルカン骨格を含む、請求項１記載のインク組成物。
【請求項３】
前記アルコール（Ａ）が、２，４−ジメチル−３−ペンタノール、及び２，６−ジメチル−４−ヘプタノールからなる群より選ばれる１種以上である、請求項１又は２に記載のインク組成物。
【請求項４】
前記アルコキシアルコールが、３−メトキシ−１−ブタノール、及び３−メトキシ−３−メチル−１−ブタノールからなる群より選ばれる１種以上であり、前記アルカンジオールが、３−メチル−１，３−ブタンジオールである、請求項１〜３のいずれか１項に記載のインク組成物。
【請求項５】
ポリシロキサン系界面活性剤をさらに含有し、
前記ポリシロキサン系界面活性剤が、下記式（１）で表される化合物である、請求項１〜４のいずれか１項に記載のインク組成物。
【化１】
2019065088.tif 000013
（式（１）中、Ｒは、水素原子又はメチル基を表し、ａは、２〜１８の整数を表し、ｍは、０〜７０の整数を表し、ｎは、１〜８の整数を表す。）
【請求項６】
融点が８０℃以上であり、２５℃における水１００ｇに対する溶解度が３ｇ以上であるアルカンジオール（Ｃ）をさらに含有する、請求項１〜５のいずれか１項に記載のインク組成物。
【請求項７】
前記アルカンジオール（Ｃ）が、対称型のアルカン骨格を含む、請求項６記載のインク組成物。
【請求項８】
前記アルカンジオール（Ｃ）が、２，５−ジメチル−２，５−ヘキサンジオールである、請求項６又は７記載のインク組成物。
【発明の詳細な説明】
【技術分野】
【０００１】
本発明は、インク組成物に関する。
【背景技術】
【０００２】
被記録媒体に、画像データ信号に基づき画像を形成する記録方法として、インクジェット方式などがある。インクジェット方式は、安価な装置で、必要とされる画像部のみにインク（インク組成物）を吐出し、被記録媒体上に直接画像形成を行うため、インク組成物を効率よく使用でき、ランニングコストが安い。インクジェット方式に用いるインクとしては、通常、色材又は着色剤と、該色材又は着色剤を溶解又は分散させるための水及び水溶性有機溶剤を主成分とするインク組成物が使用される。
【０００３】
例えば、特許文献１には、着色剤と、水と、難水溶性のアルカンジオールと、２０℃において固体である結晶性糖アルコールと、水溶性のグリコールエーテルとを含むインク組成物が開示されている。この文献には、上記インク組成物が、水性インクに対して低吸収性の記録媒体に、着弾時間差が短い印刷をした場合でも、品質及び光沢に優れた画像が実現できること、さらに乾燥性に優れることが開示されている。
【先行技術文献】
【特許文献】
【０００４】
【特許文献１】特開２０１１−１７８９８１号公報
【発明の概要】
【発明が解決しようとする課題】
【０００５】
しかしながら、特許文献１の記載のような従来のインク組成物に対しては、高速記録性及び速乾性をさらに一層向上させることが求められている。
【０００６】
そこで、本発明は、上述の課題を解決するためになされたものであり、優れた高速記録性及び速乾性をバランスよく同時に満たすインク組成物を提供することを目的とする。
【０００７】
本発明者らは、上述の課題を解決するために鋭意検討した結果、水と、樹脂と、色材と、溶剤とを含有するインク組成物において、溶剤として、特定の難水溶性アルコールと、特定の水溶性溶剤とを組み合わせると、高速記録性及び速乾性をバランスよく同時に満たすインク組成物が得られることを見出して、本発明を完成させた。
【０００８】
すなわち、本発明のインク組成物は、水と、樹脂と、色材と、２５℃における蒸気圧が０．０５０ｍｍＨｇ以上であり、かつ、２５℃における水１００ｇに対する溶解度が３ｇ未満であるアルコール（Ａ）と、２５℃における蒸気圧が０．０５０ｍｍＨｇ以上であり、かつ２５℃における水１００ｇに対する溶解度が３ｇ以上であるアルコキシアルコール、及び２５℃における蒸気圧が０．０５０ｍｍＨｇ以上であり、かつ２５℃における水１００ｇに対する溶解度が３ｇ以上であるアルカンジオールからなる群より選択される１種以上を含有する溶剤（Ｂ）と、を含む。
【０００９】
アルコール（Ａ）は、炭素数が７以上である対称型のアルカン骨格を含むことが好ましく、２，４−ジメチル−３−ペンタノール、及び２，６−ジメチル−４−ヘプタノールからなる群より選ばれる１種以上であることが好ましい。アルコキシアルコールは、３−メトキシ−１−ブタノール、及び３−メトキシ−３−メチル−１−ブタノールからなる群より選ばれる１種以上であり、アルカンジオールは、３−メチル−１，３−ブタンジオールであることが好ましい。インク組成物は、ポリシロキサン系界面活性剤をさらに含有し、ポリシロキサン系界面活性剤は、下記式（１）で表される化合物であることが好ましい。
【化１】
2019065088.tif 000002
（式（１）中、Ｒは、水素原子又はメチル基を表し、ａは、２〜１８の整数を表し、ｍは、０〜７０の整数を表し、ｎは、１〜８の整数を表す。）
【００１０】
インク組成物は、融点が８０℃以上であり、２５℃における水１００ｇに対する溶解度が３ｇ以上であるアルカンジオール（Ｃ）をさらに含有することが好ましく、アルカンジオール（Ｃ）は、対称型のアルカン骨格を含むことが好ましく、２，５−ジメチル−２，５−ヘキサンジオールであることがより好ましい。
【発明を実施するための形態】
【００１１】
以下、本発明の実施の形態（以下、「本実施形態」という。）について詳細に説明するが、本発明はこれに限定されるものではなく、その要旨を逸脱しない範囲で様々な変形が可能である。
【００１２】
［インク組成物］
本実施形態のインク組成物（「インク」ともいう。）は、水と、樹脂と、色材と、２５℃における蒸気圧が０．０５ｍｍＨｇ以上であり、かつ２５℃における水１００ｇに対する溶解度が３ｇ未満であるアルコール（Ａ）と、２５℃における蒸気圧が０．０５０ｍｍＨｇ以上であり、かつ、２５℃における水１００ｇに対する溶解度が３ｇ以上であるアルコキシアルコール、及び２５℃における蒸気圧が０．０５０ｍｍＨｇ以上であり、かつ２５℃における水１００ｇに対する溶解度が３ｇ以上であるアルカンジオールからなる群より選択される１種以上を含有する溶剤（Ｂ）と、を含む。なお、本明細書において、アルコール（Ａ）を難水溶性アルコール（Ａ）ということがあり、溶剤（Ｂ）を水溶性溶剤（Ｂ）ということがある。
【００１３】
このようなインク組成物が、高速記録性及び速乾性に優れる要因は、以下のように考えられるが、本発明は、この要因により何ら限定されない。すなわち、アルコール（Ａ）及び溶剤（Ｂ）を組み合わせると、難水溶性アルコール（Ａ）が水溶性溶剤（Ｂ）により乳化された乳化溶液が得られる。難水溶性アルコール（Ａ）が水溶性溶剤（Ｂ）の界面活性作用により、乳化して１μｍ程度のミセルを形成していると考えられ、この乳化溶液の表面張力は小さく、これを主因として、乳化溶液は、記録媒体に対する濡れ性に優れる。そして、このような濡れ性に優れる乳化溶液を含有するインク組成物は、被記録媒体への着弾量を大きくしても凝集しにくいため、少ないパス数（走査数）で記録物を記録でき、高速記録性に優れる。また、難水溶性アルコール（Ａ）及び水溶性溶剤（Ｂ）が、それぞれ０．０５０ｍｍＨｇ以上の蒸気圧を有しており、揮発性が高いことを主因として、速乾性に優れる。本実施形態のインク組成物は、このように、少ないパス数で凝集することなく記録物を記録でき、高速記録性に優れ、さらには速乾性に優れるので、例えば、省スペースで被記録媒体（例えば、フィルム、キャストコート紙）に画像を形成することも可能である。
【００１４】
［アルコール（Ａ）］
本実施形態のアルコール（Ａ）は、２５℃における蒸気圧が０．０５ｍｍＨｇ以上であり、かつ２５℃における水１００ｇに対する溶解度が３ｇ未満である。
【００１５】
アルコール（Ａ）としては、「食品衛生法に基づく食品・食品添加物等の規格基準（抄）２０１０年度版（２０１１年４月  日本貿易振興機構（ＪＥＴＲＯ）発行）」の脂肪族高級アルコール類として例示され、炭素数が７以上のものが挙げられる。すなわち、脂肪族高級アルコール類としては、アセトングリセリルアセタール、アンブリノール、α―ビサボロール、ブロネオール、α―カンフォレノール、１−カルベオール、カルベオール、β−カリオフィレンアルコール、セドレノール、セドロール、１−シトロネロール、シクロヘキサノール、２−シクロヘキシルエタノール、２，４−デカジエノール、３−デカノール、２−デセノール、９−デセノール、４−デセノール、ジヒドロカルベオール、７，８−ジヒドロ−β−イオノール、３，７−ジメチル−６−オクテン−３−オール、ジヒドロミルセノール、ジヒドロペリリルアルコール、２，５−ジヒドロキシ−２，５−ジメチル−１，４−ジチアン、２，６−ジメチル−４−ヘプタノール、３，７−ジメチル−１，５，７−オクタトリエン−３−オール、２，６−ジメチル−２−ヘプタノール、３，６−ジメチル−３−オクタノール、２，４−ジメチル−３−ペンタノール、２，４−ジメチル−４−ノナノール、２−ドデカノール、ドデカノール、２−ドデセノール、エレモール、２−エチルブタノール、２−エチルフェンコール、２−エチルヘキサノール、ファルネソール、フェンキルアルコール、ゲラニルリナロール、ヘプタデカノール、ヘプタナールグリセリルアセタール、２−ヘプタノール、３−ヘプタノール、４−ヘプタノール、ヘプタノール、１−ヘプテン−３−オール、２−ヘプテノール、３−ヘプテノール、ｃｉｓ−４−ヘプテノール、ヘキサデカノール、２，４−ヘキサジエノール、ヘキサナールグリセリルアセタール、２−ヘキサノール、３−ヘキサノール、ヘキサノール、４−ヘキセノール、１−ヘキセン−３−オール、ｔｒａｎｓ−２−ヘキセナールグリセリルアセタール、２−ヘキセノール、３−ヘキセノール、ｃｉｓ−２−ヘキセノール、ｃｉｓ−３−ヘキセノール、ｃｉｓ−４−ヘキセノール、ｔｒａｎｓ−２−ヘキセノール、ｔｒａｎｓ−３−ヘキセノール、ｔｒａｎｓ−４−ヘキセノール、ヒドロキシシトロネラールジエチルアセタール、ヒドロキシシトロネロール、α−イオノール、β−イオノール、イソボルネオール、イソジヒドロカルベオール、イソゲラニオール、イソゲラニオール、イソフィトール、イソプレゴール、イソバレルアルデヒドグリセリルアセタール、ラバンジュロール、８−ｐ−メンテン−１，２−ジオール、リナロールオキシド、２−ｐ−メンテン−１−オール、２，８−ｐ−メンタジエン−１−オール、１，８−ｐ−メンタジエン−４−オール、メンタジエノール、ｐ−メンタン−２−オール、ｐ−メンタン−７−オール、ｐ−メンタン−８−オール、８−ｐ−メンテン−７−オール、３−（メントキシ）−１，２−プロパンジオール、３−メチル−２−ペンタノール、４−メチル−２−ペンタノール、６−メチル−３−ヘプタノール、５−メチル−３−ヘプタノール、２−メチル−３−ペンタノール、６−メチル−５−ヘプテン−２−オール、２−メチル−５−ヘプテン−２−オール、５−メチルヘキサノー���、２−メチルペンタノール、３−メチルペンタノール、４−メチルペンタノール、３−（メチルチオ）ヘキサノール、ミルセノール、ミルテノール、ネオジヒドロカルベオール、ｄ−ネオメントール、ネオメントール、ネロール、ｃｉｓ−ネロリドール、ｔｒａｎｓ−ネロリドール、ネロリドール、２，４−ノナジエノール、３，６−ノナジエノール、ｔｒａｎｓ，ｃｉｓ−２，６−ノナジエノール、ノナジエノール、ノナノール、２−ノナノール、３−ノナノール、１−ノネン−３−オール、３−ノネノール、６−ノネノール、ｃｉｓ−２−ノネノール、ｔｒａｎｓ−２−ノネノール、２，６−ジメチル−５，７−オクタジエン−２−オール、１，５−オクタジエン−３−オール、オクタデカノール、３，５−オクタジエノール、１，３−オクタンジオール、２−オクタノール、３−オクタノール、オクタノール、１−オクテン−３−オール、２−オクテン−４−オール、２−オクテノール、３−オクテノール、ｃｉｓ−５−オクテノール、ｃｉｓ−９−オクタデセノール、ペンタデカノール、ペリラアルコール、フィトール、ピノカルベオール、ピペリトール、ロジノール、α−サンタロール、スクラレオール、１−テルピネオール、４−テルピネオール、α−テルピネオール、β−テルピネオール、４−ｔｅｒｔ−ブチルシクロヘキサノール、テトラデカノール、テトラヒドロクミノール、３，７−ジメチルオクタノール、３，７−ジメチル−３−オクタノール、２，６−ジメチル−２−オクタノール、３−ツヤノール、サビネンハイドレート、トリデカノール、２−トリデセノール、３，３，５−トリメチルシクロヘキサノール、３，５，５−トリメチルヘキサノール、２，４−ウンデカジエノール、２−ウンデカノール、ウンデカノール、ｃｉｓ，ｃｉｓ−１，５，８−ウンデアカトリエン−３−オール、１０−ウンデセノール、２−ウンデセノール、ベルベノール、ベチベロール、ビリジフロロール、３−（１−メントキシ）−２−メチルプロパン−１，２−ジオール、シトラールグリセリルアセタール、１−ｐ−メンテン−９−オール、１，２−ジヒドロリモネン−１０−オール、２，３，４−トリメチル−３−ペンタノール、２，４−ジメチルシクロヘキシルメタノール、２−メチル−１−ヘプテン−３−オール、２−ｔｅｒｔ−ブチルシクロヘキサノール、３−エチル−３−オクタノール、４−イソプロピルシクロヘキサノール、５−ヘキセノール、５−オクテン−１，３−ジオール、６−ヒドロキシジヒドロテアスピラン、８−エチル−１，５−ジメチルビシクロ[３．２．１]オクタン−８−オール、ｃｉｓ−３−ヘプテノール、ｃｉｓ−４−オクテノール、シクロドデカノール、ｄ−リモネン−１０−オール、ｄ−ｔｒａｎｓ，ｃｉｓ−１（７），８−ｐ−メンタジエン−２−オール、３，７−ジメチル−１，６−ノナジエン−３−オール、リナロールオキソド（ピラノイド）、１−ｔｒａｎｓ−２−ｐ−メンテノール、ネロリドールオキシド、ヌートカトール、ｐ−メンタン−３，８−ジオール、サンタロール、及びテトラヒドロヌートカトールが挙げられる。これらのアルコール（Ａ）は、１種を単独で、又は２種以上を組み合わせて用いることができる。
【００１６】
脂肪族高級アルコール類は、環式脂肪族高級アルコール類であってもよく、非環式脂肪族高級アルコール類であってもよいが、揮発性及び、水溶性の溶剤（Ｂ）の界面活性作用による乳化性（以下、単に「乳化性」ともいう。）により一層優れる観点から、非環式脂肪族高級アルコール類であることが好ましい。非環式脂肪族高級アルコール類が乳化性により一層優れる要因は、非環式脂肪族高級アルコール類と水とが層分離を生じにくいことに起因するものと考えられるが、本発明はこの要因により何ら限定されない。ここで、安定に乳化させる観点から、水溶性溶剤（Ｂ）の配合量を大きくすることが考えられるが、非環式脂肪族高級アルコール類であれば、揮発性の高い水溶性溶剤（Ｂ）の配合量を大きくしなくても、安定に乳化できるため、揮発性有機化合物（ＶＯＣ）の排出量を厳しく規制している現在の市場に対応できる。
【００１７】
非環式脂肪族高級アルコール類は、直鎖状脂肪族高級アルコール類であってもよく、分岐状脂肪族高級アルコール類であってもよいが、揮発性及び乳化性により一層優れる観点から、分岐状脂肪族高級アルコール類であることが好ましい。
【００１８】
アルコール（Ａ）は、炭素数が７以上（例えば、７〜１０）である対称型のアルカン骨格を含むことが好ましい。このようなアルカン骨格を含むことにより、凝集の発生を更に低減でき、高速記録性及び速乾性をより一層向上できる傾向にある。すなわち、まず、アルコール（Ａ）は、炭素数が７以上であることを主因として、凝集の発生を低減でき、その結果、高速記録性をより一層向上できる。また、アルカン骨格が対称型であることを主因として、揮発性が高くなり、速乾性がより一層向上する傾向にある。同様の観点から、アルカン骨格の炭素数は、８以上であることが好ましく、９以上であることがより好ましい。なお、本明細書にいう「対称型」とは、アルカン骨格の直鎖の両末端の炭素から等距離にある炭素を対称軸とするアルカン骨格をいう。上記のアルカン骨格を有するアルコール（Ａ）としては、２，６−ジメチル−４−ヘプタノール、２，６−ジメチル−２−ヘプタノール、２，４−ジメチル−３−ペンタノール、及び２，３，４−トリメチル−３−ペンタノールからなる群より選ばれる１種以上が挙げられ、これらの中でも、高速記録性及び速乾性により一層向上できる観点から、２，４−ジメチル−３−ペンタノール、及び２，６−ジメチル−４−ヘプタノールからなる群より選ばれる１種以上であることが好ましい。
【００１９】
本実施形態のインク組成物（１００質量％）中のアルコール（Ａ）の含有量は、高速記録性及び速乾性をより一層向上できる観点から、０質量％を超え、１．０質量％以下であることが好ましく、０．１質量％以上０．８質量％以下であることがより好ましく、０．２質量％以上０．７質量％以下であることがさらに好ましい。
【００２０】
［溶剤（Ｂ）］
溶剤（Ｂ）は、２５℃における蒸気圧が０．０５０ｍｍＨｇ以上であり、かつ２５℃における水１００ｇに対する溶解度が３ｇ以上であるアルコキシアルコール、及び２５℃における蒸気圧が０．０５０ｍｍＨｇ以上であり、かつ２５℃における水１００ｇに対する溶解度が３ｇ以上であるアルカンジオールからなる群より選択される１種以上を含有する。
【００２１】
上記のアルコキシアルコールは、揮発性及び乳化性により一層優れる観点から、３−メトキシ−１−ブタノール、及び３−メトキシ−３−メチル−１−ブタノールからなる群より選ばれる１種以上であることが好ましい。
【００２２】
上記のアルカンジオールは、直鎖状アルカンジオールであってもよく、分岐状アルカンジオールであってもよいが、揮発性及び乳化性をより一層バランスよく向上させる観点から、分岐状アルカンジオールであることが好ましい。また、そのアルカンジオールの炭素数は、同様の観点から、３〜５であることがより好ましい。炭素数が３〜５であり、分岐状であるアルカンジオールとしては、２−メチル−１，３−プロパンジオール、及び３−メチル−１，３−ブタンジオールからなる群より選ばれる１種以上が挙げられ、３−メチル−１，３−ブタンジオールであることが好ましい。
【００２３】
本実施形態のインク組成物（１００質量％）中の溶剤（Ｂ）の含有量は、高速記録性及び速乾性をバランスよく向上させる観点から、１．０質量％以上２０．０質量％以下であることが好ましく、２．０質量％以上１５．０質量％以下であることがより好ましく、３．０質量％以上１２．０質量％以下であることがさらに好ましい。
【００２４】
本実施形態のインク組成物中のアルコール（Ａ）の含有量に対する溶剤（Ｂ）の含有量の割合（質量比；（Ｂ）／（Ａ））は、高速記録性及び速乾性をバランスよく向上させる観点から、１〜５０であることが好ましく、５〜３０であることがより好ましく、１０〜２５であることがさらに好ましい。
【００２５】
本実施形態のインク組成物は、本発明の作用効果をより有効かつ確実に奏する観点から、さらに対称型のアルカン骨格を有し、２５℃における水１００ｇに対する溶解度が３ｇ以上である水溶性のモノアルコール（「特定のモノアルコール」ともいう。）を含有することが好ましい。特定のモノアルコールとしては、例えば、２，２−ジメチル−１−プロパノール（ｔｅｒｔ−ブチルカルビノール又はネオペンチルアルコール）が挙げられる。特定のモノアルコールは１種を単独で、又は２種以上を組み合わせて用いられる。
【００２６】
本実施形態のインク組成物は、本発明の作用効果をより有効かつ確実に奏する観点から、アルコール（Ａ）、溶剤（Ｂ）、特定のモノアルコール、及び後述するその他の水溶性溶剤以外の化合物として、融点が８０℃以上であり、水酸基を含有する有機アミン化合物（「特定の有機アミン化合物」ともいう。）を含むことが好ましい。特定の有機アミン化合物としては、例えば、アミノメチルプロパンジオール、及びアミノヒドロキシメチルプロパンジオールが挙げられる。特定の有機アミン化合物は、１種を単独で、又は２種以上を組み合わせて用いられる。
【００２７】
本実施形態のインク組成物は、高速記録性及び速乾性をバランスよく一層向上させる観点から、融点が８０℃以上であり、２５℃における水１００ｇに対する溶解度が３ｇ以上であるアルカンジオール（Ｃ）をさらに含有することが好ましい。アルカンジオール（Ｃ）は、常温固形であるため、２５℃における蒸気圧が０．０５０ｍｍＨｇ未満であり、溶剤（Ｂ）に含まれない。アルカンジオール（Ｃ）は、１種を単独で、又は２種以上を組み合わせて用いることができる。これらの中でも、アルカンジオール（Ｃ）は、同様の観点から、対称型のアルカン骨格を含むことが好ましく、２，５−ジメチル−２，５−ヘキサンジオールであることがより好ましい。
【００２８】
本実施形態のインク組成物（１００質量％）中のアルカンジオール（Ｃ）の含有量は、３．０質量％以上１８．０質量％以下であることが好ましく、３．０質量％以上９．０質量％以下であることがより好ましく、６．０質量％以上９．０質量％以下であることがさらに好ましい。３．０質量％以上であることにより、一層速乾性を向上できる傾向にあり、１８．０質量％以下であることにより、アルカンジオール（Ｃ）を含有することに伴う、水溶性溶剤（Ｂ）の界面活性作用による乳化性に対する影響を抑えることができる。このため、乳化性の劣化に伴って、アルコール（Ａ）が分離したり、常温固形のアルカンジオール（Ｃ）がインク組成物中で析出したりするといった問題が生じにくい傾向にある。
【００２９】
［特定の界面活性剤］
本実施形態のインク組成物は、記録物を形成する際に、記録媒体表面への濡れ性をより一層向上させ、インクの浸透性をより一層向上させる観点から、ポリシロキサン系界面活性剤を含有することが好ましく、ポリシロキサン系界面活性剤は、下記式（１）で表されるポリシロキサン系界面活性剤（「特定の界面活性剤」ともいう。）をさらに含有することがより好ましい。また、本実施形態のインク組成物は、特定の界面活性剤を含有することにより、アルコール（Ａ）をより一層安定にインク組成物中に分散したり、乳化したりできる傾向にある。
【００３０】
【化２】
2019065088.tif 000003
【００３１】
式（１）中、Ｒは、水素原子又はメチル基を表し、ａは、２〜１８の整数を表し、ｍは、０〜７０を表し、ｎは、１〜８を表す。
【００３２】
特定の界面活性剤は、例えば、特許第５３５９０１８号公報に記載の界面活性剤が挙げられる。より詳細には、特定の界面活性剤は、式（１）で表される界面活性剤であって、下記条件（ａ）を満たす界面活性剤（ａ）、及び／又は下記条件（ｂ）を満たす界面活性剤（ｂ）を含むことが好ましい。これにより、インク組成物を記録媒体として印刷本紙に印刷した場合であっても、インクの凝集ムラをより一層抑制できる傾向にある。
条件（ａ）：式（１）中、ａが２〜１３の整数であり、ｍが２〜５０の整数であり、ｎが１〜８（好ましくは１〜５）の整数である。
条件（ｂ）：式（１）中、Ｒがメチル基であり、ａが６〜１８の整数であり、ｍが０であり、ｎが１である。
【００３３】
特定の界面活性剤は、式（１）で表される界面活性剤であって、下記条件（ｃ）を満たす界面活性剤（ｃ）、下記条件（ｄ）を満たす界面活性剤（ｄ）、及び下記条件（ｅ）を満たす界面活性剤（ｅ）からなる群より選ばれる１種を含むことが好ましい。これにより、印刷した際のインクの凝集ムラをより一層抑制できる傾向にある。
条件（ｃ）：式（１）中、ａが２〜５の整数であり、ｍが２０〜４０の整数であり、ｎが２〜４の整数である。
条件（ｄ）：式（１）中、ａが９〜１３の整数であり、ｍが２〜４の整数であり、ｎが１〜２の整数である。
条件（ｅ）：式（１）中、ａが６〜１０の整数であり、ｍが１０〜２０の整数であり、ｎが４〜８の整数である。
【００３４】
特定の界面活性剤は、式（１）で表される界面活性剤であって、下記条件（ｆ）を満たす界面活性剤（ｆ）及び下記条件（ｇ）を満たす界面活性剤（ｇ）からなる群より選ばれる１種以上を含むことが好ましい。これにより、印刷した際のインクの凝集ムラ及び滲みをより一層抑制できる傾向にある。
条件（ｆ）：式（１）中、ａが２〜５の整数であり、ｍが２０〜４０の整数であり、ｎが２〜４の整数である。
条件（ｇ）：式（１）中、ａが７〜１１の整数であり、ｍが３０〜５０の整数であり、ｎが３〜５の整数である。
【００３５】
特定の界面活性剤は、式（１）で表される界面活性剤であって、下記条件（ｈ）を満たす界面活性剤（ｈ）及び下記条件（ｉ）を満たす界面活性剤（ｉ）からなる群より選ばれる１種以上を含むことが好ましい。これにより、印刷した際のインクの凝集ムラ及び滲みをより一層抑制できる傾向にある。
条件（ｈ）：式（１）中、Ｒがメチル基であり、ａが９〜１３の整数であり、ｍが２〜４の整数であり、ｎが１〜２の整数である。
条件（ｉ）：式（１）中、ａが６〜１０の整数であり、ｍが１０〜２０の整数であり、ｎが４〜８の整数である。
【００３６】
特定の界面活性剤は、式（１）で表される界面活性剤であって、下記条件（ｊ）を満たす界面活性剤（ｊ）を含むことが好ましい。これにより、印刷した際のインクの凝集ムラ及び滲みをより一層抑制できる傾向にある。
条件（ｊ）：式（１）中、Ｒがメチル基であり、ａが６〜１２の整数であり、ｍが０であり、ｎが１である。
【００３７】
特定の界面活性剤は、式（１）で表される界面活性剤であって、下記条件（ｋ）を満たす界面活性剤（ｋ）、下記条件（ｌ）を満たす界面活性剤（ｌ）、及び下記条件（ｍ）を満たす界面活性剤（ｍ）からなる群より選ばれる１種以上を含むことが好ましい。これにより、印刷した際のインクの凝集ムラ及び滲みをより一層抑制できる傾向にある。
条件（ｋ）：式（１）中、Ｒが水素原子であり、ａが７〜１１の整数であり、ｍが３０〜５０の整数であり、ｎが３〜５の整数である。
条件（ｌ）：式（１）中、Ｒがメチル基であり、ａが９〜１３の整数であり、ｍが２〜４の整数であり、ｎが１〜２の整数である。
条件（ｍ）：式（１）中、Ｒがメチル基であり、ａが６〜１０の整数であり、ｍが１０〜２０の整数であり、ｎが４〜８の整数である。
【００３８】
特定の界面活性剤は、式（１）で表される界面活性剤であって、下記条件（ｎ）を満たす界面活性剤（ｎ）、下記条件（ｏ）を満たす界面活性剤（ｏ）、及び下記条件（ｐ）を満たす界面活性剤（ｐ）からなる群より選ばれる１種以上を含むことが好ましい。これにより、印刷した際のインクの凝集ムラ及び滲みをより一層抑制できる傾向にある。
条件（ｎ）：式（１）中、Ｒが水素原子であり、ａが７〜１１の整数であり、ｍが３０〜５０の整数であり、ｎが３〜５の整数である。
条件（ｏ）：式（１）中、Ｒがメチル基であり、ａが９〜１３の整数であり、ｍが２〜４の整数であり、ｎが１〜２の整数である。
条件（ｐ）：式（１）中、Ｒがメチル基であり、ａが６〜１０の整数であり、ｍが１０〜２０の整数であり、ｎが４〜８の整数である。
【００３９】
特定の界面活性剤は、公知の方法により調製してもよく、市販品を用いてもよい。市販品としては、特に限定されないが、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上ビックケミー・ジャパン株式会社製品）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、（以上信越化学株式会社製品）、シルフェイスＳＡＧ００２、００５、５０３Ａ、００８（以上日信化学工業株式会社製品）が挙げられる。
【００４０】
本実施形態のインク組成物（１００質量％）中の特定の界面活性剤の含有量は、インクの浸透性をより一層向上させる観点から、０質量％を超え、１．０質量％以下であることが好ましく、０．０５〜０．８０質量％であることがより好ましく、０．１０〜０．５０質量％であることがさらに好ましい。
【００４１】
本実施形態のインク組成物は、本発明の作用効果を阻害しない範囲で、その他の界面活性剤（例えば、アセチレングリコール系界面活性剤、フッ素系界面活性剤、ジェミニ型界面活性剤、アニオン界面活性剤、ノニオン界面活性剤、及び両性界面活性剤）を含有していてもよく、含有していなくてもよい。
【００４２】
［色材］
本実施形態のインク組成物は、色材を含有する。色材としては、染料及び含量が挙げられるが、乾燥過程での色安定性、耐光性及び耐水性の観点から、顔料であることが好ましい。顔料は、インク組成物中に分散させることが可能な分散剤に含まれていることが好ましい。
【００４３】
顔料としては、無機顔料及び有機顔料が挙げられる。これらの顔料は、１種を単独で、又は２種以上を組み合わせて用いることができる。無機顔料としては、例えば、酸化チタン、酸化鉄、及びカーボンブラックが挙げられ、カーボンブラックは、コンタクト法、ファーネス法、サーマル法等の公知の方法によって製造されたものを使用できる。有機顔料としては、アゾ顔料（例えば、アゾレーキ、不溶性アゾ顔料、縮合アゾ顔料、及びキレートアゾ顔料）、多環式顔料（例えば、フタロシアニン顔料、ペリレン顔料、ペリノン顔料、アントラキノン顔料、キナクリドン顔料、ジオキサジン顔料、チオインジゴ顔料イソインドリノン顔料、及びキノフラロン顔料）、染料キレート（例えば、塩基性染料型キレート、及び酸性染料型キレート）、ニトロ顔料、ニトロソ顔料、及びアニリンブラックが挙げられる。
【００４４】
顔料の具体例は、インク組成物の種類（色）に応じて適宜挙げられる。例えば、インク組成物が、イエローインク組成物である場合に用いられる顔料としては、Ｃ．Ｉ．ピグメントイエロー１，２，３，１２，１４，１６，１７，７３，７４，７５，８３，９３，９５，９７，９８，１０９，１１０，１１４，１２８，１２９，１３８，１３９，１４７，１５０，１５１，１５４，１５５，１８０，及び１８５が挙げられる。インク組成物が、マゼンタインク組成物である場合に用いられる顔料としては、例えば、Ｃ．Ｉ．ピグメントレッド５，７，１２，４８（Ｃａ），４８（Ｍｎ），５７（Ｃａ），５７：１，１１２，１２２，１２３，１６８，１８４，２０２，２０９；Ｃ．Ｉ．ピグメントバイオレット１９等が挙げられる。インク組成物が、シアンインク組成物である場合に用いられる顔料としては、例えば、Ｃ．Ｉ．ピグメントブルー１，２，３，１５：２，１５：３，１５：４，１５：３４，１６，２２，６０；Ｃ．Ｉ．バットブルー４，６０が挙げられる。インク組成物が、ブラックインク組成物である場合に用いられる顔料としては、例えば、ランプブラック（Ｃ．Ｉ．ピグメントブラック６）、アセチレンブラック、ファーネスブラック（Ｃ．Ｉ．ピグメントブラック７）、チャンネルブラック（Ｃ．Ｉ．ピグメントブラック７）、カーボンブラック（Ｃ．Ｉ．ピグメントブラック７）等の炭素類、酸化鉄顔料等の無機顔料；アニリンブラック（Ｃ．Ｉ．ピグメントブラック１）等の有機顔料等が挙げられる。
【００４５】
本実施形態のインク組成物（１００質量％）中の色材の含有量は、特に限定されないが、例えば、１．０〜１０．０質量％であり、本発明の作用効果をより有効かつ確実に奏する観点から、２．０〜８．０質量％であることが好ましく、３．０〜７．０質量％であることがより好ましい。
【００４６】
［樹脂］
本実施形態のインク組成物は、色材を良好に分散させる観点から、樹脂を含有することが好ましい。樹脂は、分散剤に含まれていることが好ましい。樹脂としては、色材の分散性の観点から、オキシエチル骨格を含有する樹脂（「オキシエチル骨格含有樹脂」ともいう。）、フルオレン骨格を含有する樹脂（「フルオレン骨格含有樹脂」ともいう。）、スチレン−アクリル酸系共重合体樹脂、及びウレタン系樹脂からなる群より選ばれる１種以上であることが好ましく、オキシエチル骨格含有樹脂及びフルオレン骨格含有樹脂からなる群より選ばれる１種以上であることがより好ましく、オキシエチル骨格含有樹脂及びフルオレン骨格含有樹脂であることがさらに好ましい。これらの樹脂は、色材（特に顔料）に吸着して分散性を向上させる。樹脂は、顔料とともに分散剤に含まれていることが好ましい。
【００４７】
（オキシエチル骨格含有樹脂）
オキシエチル骨格含有樹脂としては、例えば、オキシエチルアクリレート骨格を含有する樹脂が挙げられ、下記式（Ｉ）で表される化合物であることが好ましい。オキシエチル骨格含有樹脂は、１種を単独で又は２種以上を組み合わせて用いられる。
【００４８】
【化３】
2019065088.tif 000004
【００４９】
式（Ｉ）中、Ｒ1及びＲ3は、それぞれ独立に水素原子又はメチル基であり、Ｒ2は、アルキル基又はアリール基であり、ｎは、１以上の整数である。
【００５０】
式（Ｉ）で表される化合物としては、例えば、モノマーとして、ＣＡＳ  Ｎｏ．７２００９−８６−０のオルト-ヒドロキシエチル化フェニルフェノールアクリレートを４５〜５５ｍｏｌ％と、ＣＡＳ  Ｎｏ．７９−１０−７のアクリル酸を２０〜３０ｍｏｌ％と、ＣＡＳ  Ｎｏ．７９−４１−４のメタクリル酸を２０〜３０ｍｏｌ％とを、オルト−ヒドロキシエチル化フェニルフェノールアクリレート、アクリル酸、及びメタクリル酸の総量が１００ｍｏｌ％となるように含む樹脂が挙げられる。上記モノマー構成比は、ＣＡＳ  Ｎｏ．７２００９−８６−０のオルト-ヒドロキシエチル化フェニルフェノールアクリレートが７０〜８５質量％、ＣＡＳ  Ｎｏ．７９−１０−７のアクリル酸を５〜１５質量％、ＣＡＳ  Ｎｏ．７９−４１−４のメタクリル酸を１０〜２０質量％であり、オルト−ヒドロキシエチル化フェニルフェノールアクリレート、アクリル酸、及びメタクリル酸の総量が１００質量％であってもよい。
【００５１】
上記式（Ｉ）で表される化合物としては、好ましくはノニルフェノキシポリエチレングリコールアクリレート、及びポリプロピレングリコール＃７００アクリレートが挙げられる。
【００５２】
本実施形態のインク組成物（１００質量％）中のオキシエチル骨格含有樹脂の含有量は、本発明の作用効果をより有効かつ確実に奏する観点から、０．１〜５．０質量％であることが好ましく、０．３〜３．０質量％であることがより好ましく、０．５〜１．５質量％であることがより好ましい。また、オキシエチル骨格含有樹脂の含有量は、同様の観点から、色材１００質量部に対して、５〜５０質量部であることが好ましく、１０〜４０質量部であることがより好ましく、１５〜２５質量部であることがさらに好ましい。
【００５３】
（フルオレン骨格含有樹脂）
フルオレン骨格含有樹脂としては、例えば、下記のモノマー単位を共重合することにより得ることができる。
５−イソシアネート−１−（イソシアネートメチル）−１，３，３−トリメチルシクロヘキサン（ＣＡＳ  Ｎｏ．４０９８−７１−９）
２，２’−［９Ｈ−フルオレン−９−イリデンビス（４，１−フェニレンオキシ）］ビスエタノール（ＣＡＳ  Ｎｏ．１１７３４４−３２−８）
３−ヒドロキシ−２−（ヒドロキシメチル）−２−メチルプロピオン酸（ＣＡＳ  Ｎｏ．４７６７−０３−７）
Ｎ，Ｎ−ジエチル−エタンジアミン（ＣＡＳ  Ｎｏ．１２１−４４−８）
【００５４】
フルオレン骨格含有樹脂は、１種を単独で又は２種以上を組み合わせて用いられる。
【００５５】
フルオレン骨格含有樹脂の上記モノマー構成比は、５−イソシアネート−１−（イソシアネートメチル）−１，３，３−トリメチルシクロヘキサン（ＣＡＳ  Ｎｏ．４０９８−７１−９）が３５〜４５質量％、２，２’−［９Ｈ−フルオレン−９−イリデンビス（４，１−フェニレンオキシ）］ビスエタノール（ＣＡＳ  Ｎｏ．１１７３４４−３２−８）が４０〜６０質量％、３−ヒドロキシ−２−（ヒドロキシメチル）−２−メチルプロピオン酸（ＣＡＳ  Ｎｏ．４７６７−０３−７）が０質量％を超え、１５質量％以下、Ｎ，Ｎ−ジエチル−エタンアミン（ＣＡＳ  Ｎｏ．１２１−４４−８）が０質量％を超え、１５質量％以下であり、５−イソシアネート−１−（イソシアネートメチル）−１，３，３−トリメチルシクロヘキサン、２，２’−［９Ｈ−フルオレン−９−イリデンビス（４，１−フェニレンオキシ）］ビスエタノール、３−ヒドロキシ−２−（ヒドロキシメチル）−２−メチルプロピオン酸、及びＮ，Ｎ−ジエチル−エタンアミンの総量が１００質量％であることが好ましい。
【００５６】
フルオレン骨格含有樹脂の架橋前の数平均分子量（Ｍｎ）は、インク組成物の初期粘度及び保存安定性をより一層両立させる観点からは、好ましくは２０００〜５０００であり、より好ましくは３０００〜４０００である。Ｍｎは、例えば、ＧＰＣ（ゲルパーミエーションクロマトグラフィー）で測定する。
【００５７】
本実施形態のインク組成物（１００質量％）中のフルオレン骨格含有樹脂の含有量は、本発明の作用効果をより有効かつ確実に奏する観点から、０．１〜５．０質量％であることが好ましく、０．３〜３．０質量％であることがより好ましく、０．５〜１．５質量％であることがより好ましい。また、フルオレン骨格含有樹脂の含有量は、同様の観点から、色材１００質量部に対して、５〜５０質量部であることが好ましく、１０〜４０質量部であることがより好ましく、１５〜２５質量部であることがさらに好ましい。
【００５８】
［その他の水溶性溶剤］
本実施形態のインク組成物は、アルカンジオール（Ｃ）以外に、２５℃における蒸気圧が０．０５０ｍｍＨｇ未満であり、２５℃における水１００ｇに対する溶解度が３ｇ以上である水溶性溶剤（「その他の水溶性溶剤」ともいう。）をさらに含有してもよい。その他の水溶性溶剤は、顔料とともに分散剤に含まれていることが好ましい。
【００５９】
その他の水溶性溶剤としては、例えば、１，２−ヘキサンジオール、１，６−ヘキサンジオール、及び１，５−ペンタンジオール、３−メチル−１，５−ペンタンジオール、２，５−ジメチル−２，５−ヘキサンジオール、及び２，４−ジエチル−１，５−ペンタンジオールからなる群より選ばれる１種以上が挙げられる。これらのその他の水溶性溶剤は、１種を単独で、又は２種以上を組み合わせて用いることができる。
【００６０】
本実施形態のインク組成物（１００質量％）中のその他の水溶性溶剤の含有量は、本発明の作用効果をより有効かつ確実に奏する観点から、１０．０質量％以下であることが好ましく、５．０質量％以下であることがより好ましく、１．０質量％以下であることがさらに好ましい。
【００６１】
［水］
本実施形態のインク組成物は、溶媒として水を含有する。水としては、イオン交換水、限外濾過水、逆浸透水、蒸留水、及び超純水が挙げられる。
【００６２】
また、本発明によるインク組成物は、上記成分に加えて、添加剤を含有してもよい。添加剤としては、例えば、浸透剤、記録媒体溶解剤、ノズルの目詰まり防止剤、防腐剤、酸化防止剤、導電率調整剤、ｐＨ調整剤、粘度調整剤、表面張力調整剤、及び酸素吸収剤が挙げられる。これらの添加剤は、１種を単独で、又は２種以上を組み合わせて用いてもよい。
【００６３】
［インク組成物の製造方法］
本実施形態のインク組成物は、上記の各成分を適当な方法で分散、混合することにより製造できる。具体例としては、まず、水と、樹脂と、色材と、必要に応じてその他の水溶性溶剤とを公知の分散機を用いて混合し、均一な分散液を調製する。次に、水と、アルコール（Ａ）と、溶剤（Ｂ）と、必要に応じて特定の界面活性剤と、アルカンジオール（Ｃ）とを混合して乳化させることにより乳化溶液を調製する。この乳化溶液を適宜希釈して希釈液とし、この希釈液と分散液とを混合撹拌することによりインク組成物を製造してもよい。また、これら３成分以上含有する希釈液は、例えば、分散液と混合撹拌することによって１層を形成したり、記録装置に備えられた撹拌手段を用いたりすることによって、１層を形成できるのであれば、２層以上に分離をした形態であってもよい。
【００６４】
［インクジェット記録方法］
本実施形態のインクジェット記録方法は、被記録媒体へのインクジェット記録方法であって、本実施形態のインク組成物を吐出させることにより、被記録媒体に付着させる付着工程を含む。この付着工程では、被記録媒体及びインク組成物を加温しながら行ってもよい。本実施形態のインクジェット記録方法は、本実施形態のインク組成物を吐出させ、被記録媒体に付着させることにより、凝集が抑制され、少ないパス数（走査数）で記録物を記録できるため高速記録性に優れるとともに、速乾性に優れる。
【００６５】
被記録媒体としては、特に限定されないが、例えば、表面加工紙（例えば、アルミ蒸着紙、コート紙、アート紙、及びキャストコート紙）、インク受容層が形成されたプラスチックフィルム（例えば、ポリカーボネートフィルム、ＰＥＴフィルム、及び塩化ビニルシート）が挙げられる。
【実施例】
【００６６】
表１に記載の成分を、表１及び表２に記載の組成（単位：質量部）となるように容器に添加し、これを常温で混合撹拌して希釈液１〜３４を調製した。次に、表１及び２に示すように、調製した希釈液を、超純水で等倍希釈して、参考例１〜３４の水溶液を得た。一方で、調製した希釈液を、表５〜表８に記載の成分及び組成（単位：質量部）で予め調製した分散液に添加した。（分散液で等倍希釈した。）これを、孔径５μｍのメンブランフィルターでろ過して、実施例１〜１６及び比較例１〜１８のインク組成物を得た。なお、本実施例では、特定の界面活性剤として、日信化学工業（株）製品「ＳＡＧ５０３Ａ」を用いているが、本発明では、これに限定されるものではなく、特定の界面活性剤として、上記式（１）で表される化合物であれば好適に用いることができる。
【００６７】
【表１】
2019065088.tif 000005
【００６８】
【表２】
2019065088.tif 000006
【００６９】
【表３】
2019065088.tif 000007
【００７０】
【表４】
2019065088.tif 000008
【００７１】
【表５】
2019065088.tif 000009
【００７２】
【表６】
2019065088.tif 000010
【００７３】
【表７】
2019065088.tif 000011
【００７４】
【表８】
2019065088.tif 000012
【００７５】
得られた参考例１〜３４の各水溶液及び実施例１〜１６及び比較例１〜１８の各インク組成物について、下記の評価方法にて物性の評価を行った。
【００７６】
［表面張力］
参考例１〜３４の各水溶液、実施例１〜１６及び比較例１〜１８の各インク組成物において、色材に「Ｐｉｇｍｅｎｔ  Ｂｌａｃｋ  ７」を用いたインク（以下、「Ｋ」ともいう。）の表面張力をＷｉｌｈｅｌｍｙ法（垂直白金プレート法）で測定し、下記評価基準に従い、表面張力の評価を行った。評価結果を表３〜表８に示す。
【００７７】
（評価基準）
ＡＡ：２４．０ｍＮ／ｍ未満
Ａ  ：２４．０ｍＮ／ｍ以上２４．５ｍＮ／ｍ未満
Ｂ  ：２４．５ｍＮ／ｍ以上２５．０ｍＮ／ｍ未満
Ｃ  ：２５．０ｍＮ／ｍ以上
【００７８】
［高速記録性＿ＰＥＴフィルム］
全ての実施例及び比較例において、色材に「Ｐｉｇｍｅｎｔ  Ｙｅｌｌｏｗ  ７４」を用いたインク（以下、「Ｙ」ともいう。）、「Ｐｉｇｍｅｎｔ  Ｒｅｄ１２２」を用いたインク（以下、「Ｍ」ともいう。）、「Ｐｉｇｍｅｎｔ  Ｂｌｕｅ１５：３」を用いたインク（以下、「Ｃ」ともいう。）をそれぞれ得た。上記で得られた各インク（Ｙ、Ｍ、Ｃ、及びＫ）をインクセットとして、インクジェットプリンタ（ＰＸ−Ｇ９３０、セイコーエプソン株式会社製品「ＰＸ−Ｇ９３０」）のインクカートリッジに装着し、主走査（ヘッド駆動）方向に７２０ｄｐｉで、かつ副走査（記録媒体搬送）方向に３６０ｄｐｉで、約１２８ｇ／ｍ2のＰＥＴフィルム（東レ株式会社製品の「ルミラーＳ１０」、１００ミクロン厚）に記録できるようにした。次に、着弾時のドットサイズが概ね３ｎｇになるようにプリンタヘッドのピエゾ素子に与える電圧を調整し、また、プリンタヘッドの一駆動が一色当たり７２０×３６０ｄｐｉ、になるようにした。次に７２０×７２０ｄｐｉの２パスでＡ４幅の余白１ｃｍのベタ画像を記録し評価サンプルを得た。記録は双方向印刷と単方向印刷でそれぞれ実施した。この際、単色のＤｕｔｙ１００％のインク付着量は概ね１．６ｍｇ／ｉｎｃｈ2であった。これらの記録直後（加熱乾燥前）の評価サンプルにおけるインクの凝集を観察した。
ここで、単方向印刷でも凝集が観られる場合には、着弾時のドットサイズが概ね１．５ｎｇになるようにプリンタヘッドのピエゾ素子に与える電圧を調整し、また、プリンタヘッドの一駆動が一色当たり７２０×３６０ｄｐｉになるようにした。次に１４４０×７２０ｄｐｉの４パスでＡ４幅の余白１ｃｍのベタ画像を記録し評価サンプルを得た。記録は単方向印刷だけで実施した。この際、単色のＤｕｔｙ１００％のインク付着量は概ね１．６ｍｇ／ｉｎｃｈ2であった。この記録直後（加熱乾燥前）の評価サンプルの凝集を観察した。
なお、記録は、常温常湿（２５℃、４５％湿度）環境下において実施した。観察結果に基づいて、下記評価基準に従い、被記録媒体にＰＥＴフィルムを用いた時の高速記録性の評価を行った。評価結果を表３及び表４に示す。
【００７９】
（評価基準）
Ａ：２パス双方向印刷で凝集が見られなかった。
Ｂ：２パス双方向印刷で凝集が見られたが、２パス単方向印刷では凝集が見られなかった。
Ｃ：２パス単方向印刷で凝集が見られたが、４パス単方向印刷では凝集が見られなかった。
【００８０】
［高速記録性＿キャストコート紙］
一方、［高速記録性＿ＰＥＴフィルム］の評価がＡである、実施例２、４、６、８、１０、１２、１４、１６及び比較例１、３、５、７、９、１０、１２、１４、１６、１８において、色材に色材に「Ｐｉｇｍｅｎｔ  Ｙｅｌｌｏｗ  ７４」を用いたインク（以下、「Ｙ」ともいう。）、「Ｐｉｇｍｅｎｔ  Ｒｅｄ１２２」を用いたインク（以下、「Ｍ」ともいう。）、「Ｐｉｇｍｅｎｔ  Ｂｌｕｅ１５：３」を用いたインク（以下、「Ｃ」ともいう。）をそれぞれ得た。上記で得られた各インク（Ｙ、Ｍ、Ｃ、及びＫ）をインクセットとして、インクジェットプリンタ（ＰＸ−Ｇ９３０、セイコーエプソン株式会社製品「ＰＸ−Ｇ９３０」）のインクカートリッジに装着し、主走査（ヘッド駆動）方向に７２０ｄｐｉで、かつ副走査（記録媒体搬送）方向に３６０ｄｐｉで、キャストコート紙（王子株式会社製品、「ミラーコートプラチナ」）に記録できるようにした。次に、着弾時のドットサイズが概ね３ｎｇになるようにプリンタヘッドのピエゾ素子に与える電圧を調整し、一駆動が７２０×３６０ｄｐｉ、１４４０×７２０ｄｐｉの４パスでＡ４幅の余白１ｃｍのベタ画像をキャストコート紙（王子株式会社製品、「ミラーコートプラチナ」）に記録した。記録は双方向印刷で実施した。この際、単色のＤｕｔｙ１００％のインク付着量は概ね３．１ｍｇ／ｉｎｃｈ2であった。表面張力と後述する速乾性が共にＡのインク組成物を用いた場合、凝集斑が観察されたが、表面張力と速乾性が共にＡ以上で、表面張力と後述する速乾性のどちらか一方がＡＡのインク組成物を用いた場合、凝集斑が観察できなかった。
観察結果に基づいて、下記評価基準に従い、被記録媒体にキャストコート紙を用いた時の高速記録性の評価を行った。評価結果を表３及び表４に示す。
【００８１】
（評価基準）
Ａ：４パス双方向印刷で凝集が見られなかった。
Ｂ：４パス双方向印刷で凝集が見られた。
【００８２】
［速乾性］
上記の［高速記録性＿ＰＥＴフィルム］にて得られた評価サンプルに８０℃で３分間の加熱乾燥処理をし、その後、指で記録サンプルのベタ画像を記録した部分を擦った。このときに色材の指への移りを観察した。移った場合は、もう一度８０℃で３分間の加熱乾燥をしてから、指で記録サンプルのベタ画像を記録した部分を擦って観察した。
評価がＡであった場合は、もう一度、上記の［高速記録性＿ＰＥＴフィルム］にて得られた評価サンプルに８０℃で１分間の加熱乾燥処理をし、その後、指で記録サンプルのベタ画像を記録した部分を擦った。このときに色材の指への移りを観察した。
観察結果に基づいて、下記評価基準に従い、速乾性の評価を行った。評価結果を表５〜表８に示す。なお、速乾性の評価がＡであると速乾性が十分に優れており、ＡＡであると速乾性が極めて優れているといえる。
【００８３】
（評価基準）
ＡＡ：１分間の乾燥で指に色材が移らなかった。
Ａ：１分間の乾燥で指に色材が移ったが、３分間の乾燥で指に色材が移らなかった。
Ｂ：３分間の乾燥で指に色材が移ったが、６分間の乾燥で指に色材が移らなかった。
Ｃ：６分間の乾燥で指に色材が移った。